(57)【要約】【課題】エリアカラー表示を行う有機ＥＬ表示装置において、駆動回路のコストを高くせず、複数の色の輝度を合わせることを容易にする。【解決手段】有機ＥＬセル１０における緑を発色する表示領域１２のデータ信号接続端子は、データ電極ドライバ３０の出力端子と１対１で接続されている。青を発色する表示領域１３のデータ信号接続端子は、データ電極ドライバ３０の２本の出力端子に接続されている。赤を発色する表示領域１４のデータ信号接続端子は、データ電極ドライバ３０の３本の出力端子に接続されている。【選択図】  図１
2004247076.tif 000002
【特許請求の範囲】
【請求項１】
走査電極とデータ電極とによって、ある通電電流量に対する発光輝度が異なる複数の発光部が挟持され、前記発光部のうちの二つの発光部について、相対的に高い発光輝度を有する高発光部と低い発光輝度を有する低発光部とに対応するそれぞれのデータ電極は、所定の規格の駆動能力を持つドライバ出力に接続され、前記低発光部を駆動するデータ電極に接続するドライバ出力端子の数が、前記高発光部を駆動するデータ電極に接続するドライバ出力端子の数より多い有機ＥＬ表示装置。
【請求項２】
複数の発光部は互いに異なる発色で表示を行う請求項１に記載の有機ＥＬ表示装置。
【請求項３】
複数の発光部のうちの低発光部が赤色発光する発光部である請求項２に記載の有機ＥＬ表示装置。
【請求項４】
それぞれの発光部が階調表示を行う請求項１、２または３に記載の有機ＥＬ表示装置。
【請求項５】
複数の発光部に対応するそれぞれのデータ電極とデータ電極ドライバのドライバ出力端子とを接続するための接続端子が設けられ、低発光部の接続端子の幅を他の発光部の接続端子の幅より太くし、前記接続端子より幅が細い複数のリード線でドライバ出力端子と前記低発光部の接続端子を物理的に接続する請求項１、２、３または４に記載の有機ＥＬ表示装置。
【請求項６】
データ電極ドライバがＴＣＰに搭載される請求項１、２、３、４または５に記載の有機ＥＬ表示装置。
【請求項７】
ある通電電流量に対する発光輝度が異なる複数の発光部を有し、複数の発光部に対応するそれぞれのデータ電極がデータ電極ドライバのドライバ出力端子に電気的に接続された有機ＥＬ表示装置の駆動装置であって、
前記複数の発光部のうち少なくとも一つの発光部のデータ電極を、ｎ（ｎ：２以上の整数）個のドライバ出力に電気的に接続し、前記ｎ個のドライバ出力端子を一つのデータにもとづいて制御することを特徴とする有機ＥＬ表示装置の駆動方法。
【発明の詳細な説明】
【０００１】
【発明の属する技術分野】
本発明は、所定の通電電流量に対する発光輝度が異なる複数の表示領域が表示面に形成された有機ＥＬ表示装置、および有機ＥＬ表示装置の駆動方法に関する。
【０００２】
【従来の技術】
有機エレクトロルミネッセンス素子（以下、有機ＥＬ素子という。）を使用した有機ＥＬパネルは、液晶表示装置と比較して視野角が広く、また、応答速度も速く、有機物が有する発光性の多様性から、次世代の表示装置として期待されている。有機ＥＬパネルは、基板上に陽極または陰極が形成され、その陽極または陰極の上に発光層を含む薄膜状の有機化合物（有機ＥＬ素子）が積層され、さらに、有機ＥＬ素子の上に、基板上に形成された陽極または陰極に対向するように陰極または陽極が形成された構造である。有機ＥＬ素子は、対向して設けられた陽極と陰極との間に配置された有機ＥＬ素子に電流が供給されると自発光する電流駆動型の表示素子である。
【０００３】
有機ＥＬパネルは、一般に、ガラス等の基板の上にＩＴＯ（インジウム・錫・酸化物）などの透明導電膜で陽極が形成され、その上に薄膜状の有機化合物が複数層重ねられた有機薄膜（有機ＥＬ素子）が形成され、さらに、その上にアルミニウム（Ａｌ）などの金属膜による陰極が蒸着された構造を有する。なお、基板の上に形成された透明導電膜が陰極とされ、有機薄膜の上に蒸着された金属膜が陽極とされる場合もある。そして、有機ＥＬパネルの接続端子に駆動回路が電気的に接続されて、有機ＥＬ表示装置が作製される。なお、有機ＥＬ素子に電極が設けられているものを有機ＥＬパネルまたは有機ＥＬセルと呼ぶことにする。
【０００４】
有機ＥＬ表示装置として、表示面を構成する複数の表示領域において互いに異なる色を表示するエリアカラー表示を行う有機ＥＬ表示装置がある（例えば、特許文献１。）。エリアカラー表示を行う有機ＥＬ表示装置において用いられる有機ＥＬ素子は、表示面から見て、異なる色を発色する複数の有機薄膜が並んでいるように形成されることによって実現される。また、所定の領域に第１の発色を行う有機薄膜を形成し、さらに、表示面全域に亘って第２の発色を行う有機薄膜を積層することによっても、エリアカラー表示を行う有機ＥＬ表示装置を実現できる。その場合、第１の発色により表示を行う表示領域と、第１の発色と第２の発色との混合色により発色を行う表示領域とが形成される。
【０００５】
以下、有機ＥＬ表示装置において、互いに異なる発色で表示を行う各表示領域のそれぞれを形成する部分を、それぞれ、有機ＥＬ素子と呼ぶ。例えば、赤色（Ｒ）、緑色（Ｇ）および青色（Ｂ）の３色のエリアカラー表示を行う有機ＥＬ表示装置は、Ｒを発色する有機ＥＬ素子、Ｇを発色する有機ＥＬ素子およびＢを発色する有機ＥＬ素子を含むとする。
【０００６】
互いに異なる発色で表示を行う表示領域を有する有機ＥＬ表示装置において、各表示領域において用いられる有機ＥＬ素子には、特性の違いがあることが知られている（例えば、特許文献２。）。特許文献２では、Ｒ、ＧおよびＢのそれぞれを発色する有機ＥＬ表示装置において、同程度の輝度で発色させる場合に、Ｒを発色する有機ＥＬ素子に対する印加電圧は、ＧまたはＢを発色する有機ＥＬ素子に対する印加電圧の１．５〜２倍程度必要であることが報告されている。
【０００７】
また、有機ＥＬ素子を流れる所定量の通電電流量に対する発光輝度（以下、輝度特性という。）についても、Ｒを発色する有機ＥＬ素子の特性が最も低い。すなわち、Ｒを発光する有機ＥＬ素子の輝度特性が、ＧまたはＢを発色する有機ＥＬ素子の輝度特性よりも低い。
【０００８】
有機ＥＬ素子を駆動する駆動回路の出力は、一般に、最も特性の低い有機ＥＬ素子すなわちＲを発色する有機ＥＬ素子の特性にもとづいて決定される。つまり、Ｒを発色する有機ＥＬ素子の発色が最大輝度になるように、駆動回路の出力電流値が決定される。そのような電流をＧ，Ｂを発色する表示領域に対して供給すると、Ｇを発色する表示領域およびＢを発色する表示領域の輝度は、Ｒを発色する表示領域の輝度に比べて高くなる。そこで、輝度を揃えるために、Ｇを発色する有機ＥＬ素子およびＢを発色する有機ＥＬ素子に対して、階調制御を行って輝度を下げる等の対策を施す必要がある。
【０００９】
また、特許文献２に開示されているように表示領域毎に駆動回路を設けたり、表示領域が異なると通電電流量を異ならせたりすることによって特性の違いを補償することもある（例えば、特許文献３。）。
【００１０】
【特許文献１】
特開２００２−２３１４４６号公報（段落００００４６）
【特許文献２】
特開２００２−７２９４７号公報（段落０００８〜０００９）
【特許文献３】
特開平１１−３２７５０６号公報（段落００３１〜００３５）
【００１１】
【発明が解決しようとする課題】
駆動回路をＩＣで形成する場合に、最も特性の低い有機ＥＬ素子の特性に合わせて駆動回路を作製しようとすると、ＩＣにおける出力バッファ回路のサイズが大きくなる。その結果、ＩＣのチップサイズが大きくなって駆動回路のコストが高くなり、有機ＥＬ表示装置のコストが上昇する。また、最も特性の低い有機ＥＬ素子の特性にもとづく駆動回路を用いた場合、各発色の輝度を揃えるために特性の高い有機ＥＬ素子の最大輝度を階調制御によって下げて使用すると、実際に実現可能な階調数が少なくなる場合がある。さらには、最も特性の低い有機ＥＬ素子の輝度特性と、特性の高い有機ＥＬ素子の輝度特性との差が甚だしく大きいと、輝度を合わせることが困難になる。
【００１２】
さらに、発色が異なる表示領域毎に駆動回路を設けたのでは、駆動回路の数が多くなって有機ＥＬ表示装置のコストが上昇する。また、表示領域が異なると、通電電流量を異ならせる場合には、汎用の駆動回路を使用することが難しい。そこで、専用の駆動回路を新たに作製する必要がある。その結果、やはり、有機ＥＬ表示装置のコストが上昇する。
【００１３】
本発明は、上記のような課題を解決するための発明であって、互いに異なる色で表示を行う複数の表示領域を有する有機ＥＬ表示装置において、駆動回路のコストを高くせず、また、複数の色の輝度を合わせることが容易である有機ＥＬ表示装置、および有機ＥＬ表示装置の駆動方法を提供することを目的とする。
【００１４】
【課題を解決するための手段】
本発明の態様１は、走査電極とデータ電極とによって、ある通電電流量に対する発光輝度が異なる複数の発光部が挟持され、発光部のうちの二つの発光部について、相対的に高い発光輝度を有する高発光部と低い発光輝度を有する低発光部とに対応するそれぞれのデータ電極が、所定の規格の駆動能力を持つドライバ出力に接続され、低発光部を駆動するデータ電極に接続するドライバ出力端子の数が、高発光部を駆動するデータ電極に接続するドライバ出力端子の数より多いことを特徴とする有機ＥＬ表示装置を提供する。
【００１５】
態様２は、態様１において、複数の発光部が互いに異なる発色で表示を行うことを特徴とする有機ＥＬ表示装置を提供する。
【００１６】
態様３は、態様２において、複数の発光部のうちの低発光部が赤色発光する発光部であることを特徴とする有機ＥＬ表示装置を提供する。
【００１７】
態様４は、態様１〜３において、それぞれの発光部が階調表示を行う有機ＥＬ表示装置を提供する。
【００１８】
態様５は、態様１〜４において、複数の発光部に対応するそれぞれのデータ電極とデータ電極ドライバのドライバ出力端子とを接続するための接続端子が設けられ、低発光部の接続端子の幅は他の発光部の接続端子の幅より太く、接続端子より幅が細い複数のリード線でドライバ出力端子と低発光部の接続端子とが物理的に接続されていることを特徴とする有機ＥＬ表示装置を提供する。
【００１９】
態様６は、態様１〜５において、データ電極ドライバがＴＣＰに搭載されているることを特徴とする有機ＥＬ表示装置を提供する。
【００２０】
態様７は、ある通電電流量に対する発光輝度が異なる複数の発光部を有し、複数の発光部に対応するそれぞれのデータ電極がデータ電極ドライバのドライバ出力端子に電気的に接続された有機ＥＬ表示装置の駆動装置であって、複数の発光部のうち少なくとも一つの発光部のデータ電極を、ｎ（ｎ：２以上の整数）個のドライバ出力に電気的に接続し、ｎ個のドライバ出力端子を一つのデータにもとづいて制御することを特徴とする有機ＥＬ表示装置の駆動方法を提供する。
【００２１】
【発明の実施の形態】
以下、本発明の実施の形態を図面を参照して説明する。図１は、本発明の有機ＥＬ表示装置における有機ＥＬセル１０と駆動回路部分とを示す模式図である。
図１には、駆動回路部分として、走査電極ドライバ２０、データ電極ドライバ３０、走査信号用配線４０およびデータ信号用配線５０を示す。なお、有機ＥＬセル１０において、走査信号用配線４０と走査電極とを接続するための走査信号接続端子が設けられ、データ信号用配線５０とデータ電極とを接続するためのデータ信号接続端子が設けられている。
【００２２】
また、データ電極ドライバ３０において、出力端子の前段には、各出力端子に対応して、有機ＥＬセル１０の各データ電極に定電流を供給する定電流回路、および定電流回路と外部から供給される定電圧とのいずれかをデータ電極に接続するためのスイッチ回路（図示せず）が設けられている。
【００２３】
データ電極ドライバ３０は、一般に、所定の規格の駆動能力を有する。所定の規格とは、マトリックス型有機ＥＬ素子を駆動するドライバ回路としてのドライバＩＣの出力があらかじめデザインされた駆動電流能力を備えていることをいう。通常、ドライバＩＣでは、同一の駆動能力を有する出力トランジスタ（出力バッファ回路）が１対１の関係で出力端子に接続されている。出力トランジスタのサイズが大きくなるに従って、安定的に出力できる駆動電流能力は大きくなるが、ドライバＩＣの大きさもそれに従って大きくなる。
【００２４】
よって、ドライバＩＣの大きさが増大するのを抑えるために、出力トランジスタの駆動能力を、ある程度の能力に抑える必要がある。一般に市販されているドライバＩＣでは、最大駆動電流能力は３００μＡ〜１ｍＡ程度である。一方、有機ＥＬ素子のデータ電極に必要とされる電流値は、駆動デューティ、発光効率、発光面積、要求輝度によって異なるが、５０μＡ〜２ｍＡである。すなわち、市販ドライバでは対応できない駆動能力を必要とする素子もある。
【００２５】
図１に示す有機ＥＬセル１０は、互いに異なる色を発色する３つの表示領域１２，１３，１４を有する。例えば、表示領域１２は緑色（Ｇ）を発色する表示領域であり、表示領域１３は青色（Ｂ）を発色する表示領域であり、表示領域１４は赤色（Ｒ）を発色する表示領域である。
【００２６】
有機ＥＬセル１０における各表示領域１２，１３，１４は、ガラス等の基板の上にＩＴＯ（インジウム・錫・酸化物）などの透明導電膜で陽極が形成され、その上に薄膜状の有機化合物が複数層重ねられた有機薄膜が形成され、さらに、その上にアルミニウム（Ａｌ）などの金属膜による陰極が蒸着された構造を有する。各表示領域１２，１３，１４において、有機薄膜に含まれる発光層は、それぞれ、Ｇ、Ｂ、Ｒを発光する。それぞれの表示領域１２，１３，１４における陽極と陰極とで挟持される有機薄膜の部分を、それぞれ、発光部と呼ぶことにする。
【００２７】
本実施の形態では、透明導電膜による陽極がデータ電極に相当し、金属膜による陰極が走査電極に相当する。また、有機ＥＬセル１０には、例えば透明導電膜による走査信号接続端子およびデータ信号接続端子が形成されている。なお、透明導電膜によるデータ信号接続端子は、陽極と一体形成される。
【００２８】
また、図１に示すように、本実施の形態では、Ｇを発色する表示領域１２のデータ信号接続端子は、データ電極ドライバ３０の出力端子と１対１で接続されている。Ｂを発色する表示領域１３のデータ信号接続端子は、データ電極ドライバ３０の２本の出力端子に接続されている。Ｒを発色する表示領域１４のデータ信号接続端子は、データ電極ドライバ３０の３本の出力端子に接続されている。
【００２９】
しかし、データ信号接続端子とデータ電極ドライバ３０の出力端子の数との関係は、図１に示す関係に限られない。例えば、Ｇ，Ｂを発色する表示領域１２，１３のデータ信号接続端子を、データ電極ドライバ３０の出力端子と１対１で接続し、Ｒを発色する表示領域１４のデータ信号接続端子を、データ電極ドライバ３０の複数の出力端子と接続してもよい。
【００３０】
次に、図１に示すように構成された有機ＥＬ表示装置の駆動方法を説明する。
なお、ここでは、各表示領域１２，１３，１４からなる１つの表示領域を単純マトリクス駆動する場合を例にする。すなわち、走査電極（図示せず）に、順次、走査信号用配線４０を介して走査電圧を印加して行選択を行い、選択されている行に対応したデータに応じて、点灯させる画素に対応したデータ電極に対して、データ信号用配線５０を介してデータ電極（図示せず）に定電流を供給する。
【００３１】
ここでは、単純マトリクス駆動する場合を例にするが、セグメント駆動を行う場合にも、本発明を適用できる。すなわち、コモン電極としての走査電極に、コモン配線としての走査信号用配線４０を介して走査電圧が印加されているときに、セグメント電極としてのデータ電極に、データ配線としてのデータ信号用配線５０を介して定電流を供給して、対応するセグメントを発光させるようにしてもよい。
【００３２】
図２は、駆動回路の一構成例を示すブロック図である。コントローラ６１は、メモリ６２に格納されている表示データにもとづいて有機ＥＬセル１０を駆動するための制御を行う。コントローラ６１は、制御信号として、１フレームの開始を示すファーストラインマーカ（ＦＬＭ）を走査電極ドライバ２０に出力する。その後、選択期間が経過する毎に、走査電極の切り換えを示すラッチパルス（ＬＰ）を走査電極ドライバ２０およびデータ電極ドライバ３０に出力する。さらに、各選択期間において、クロックパルス（ＣＰ）をデータ電極ドライバ３０に出力するとともに、ＣＰに同期させてデータ（ＤＡＴＡ）をデータ電極ドライバ３０に出力する。
【００３３】
走査電極ドライバ２０は、ＬＰに応じて、選択する行、すなわち走査電圧を印加する行を切り替える。データ電極ドライバ３０は、ＣＰに応じてＤＡＴＡを取り込み一時記憶（ラッチ）する。また、ＬＰに応じて、ラッチしている１行分のデータにもとづいて、各データ電極への定電流供給／定電圧印加を切り替える。
なお、データ電極ドライバ３０はＴＣＰ（Ｔａｐｅ  Ｃａｒｒｉｅｒ  Ｐａｃｋａｇｅ）３１に搭載されている。なお、画素を点灯させる場合には定電流を供給し、消灯させる場合には定電圧を印加する。
【００３４】
電源回路６３は、走査電極ドライバ２０に、非選択電位ＶＣＨと選択電位ＶＳＳとを供給する。また、データ電極ドライバ３０に、定電流回路を動作させるための電源電圧ＶＳＨとオフ電圧（非点灯電位）ＶＳＳとを供給する。本実施の形態では、選択電位とオフ電圧とは同じ電位であり、例えば接地電位である。
【００３５】
図４のタイミング図を参照して、駆動方法をさらに詳細に説明する。図４において、ＴＳＥＬは選択期間を示し、ＴＤＡＴＡはデータ電極ドライバ３０におけるラッチ回路に対する１行分のデータ書込期間を示す。
【００３６】
なお、図２に示す有機ＥＬセル１０は、図３に示すように、２つの表示領域１３，１４を含むとする。また、有機ＥＬセル１０にはｎ本のデータ電極が設けられ、Ｂを発色する高発光部の表示領域１３においてｎ本のうちのｍ本のデータ電極が設けられ、Ｒを発色する低発光部の表示領域１４においてｎ本のうちの（ｎ−ｍ）本のデータ電極が設けられているとする。そして、データ電極ドライバ３０の各出力端子のうち、表示領域１４を駆動するための各出力端子は、表示領域１４のデータ電極に対して２対１で接続されているとする。よって、データ電極ドライバ３０は、少なくとも、ｍ＋２（ｎ−ｍ）＝２ｎ−ｍ個の出力端子を有する。また、有機ＥＬセル１０にはＮ本の走査電極が設けられているとする。
【００３７】
コントローラ６１が、選択する走査電極の切り換えを示すラッチパルス（ＬＰ）を走査電極ドライバ２０およびデータ電極ドライバ３０に出力すると、走査電極ドライバ２０は、ＬＰに応じて、選択する行を切り替える。また、データ電極ドライバ３０は、ＬＰに応じて、ラッチしている１行分の各データに応じて、各データ電極に、定電流を供給するか、またはオフ電圧としての定電圧を印加する。選択されている行において、オンに対応した画素のデータ電極には定電流が流れ、オフに対応した画素にはオフ電圧が印加される。
【００３８】
コントローラ６１は、図４（ｂ）に示すように、ＦＬＭを走査電極ドライバ２０に出力し、その後、選択期間が経過する毎にＬＰを走査電極ドライバ２０に出力する。そして、Ｎ個のＬＰを出力した後、再度、ＦＬＭを出力する。また、コントローラ６１は、図４（ａ）に示すように、各選択期間において、（２ｎ−ｍ）個のＣＰおよびＤＡＴＡを出力する。コントローラ６１は、ＣＰの立ち上がりでＤＡＴＡを出力し、データ電極ドライバ３０は、ＣＰの立ち下がりでＤＡＴＡを取り込む。
【００３９】
ここで、特徴的なことは、コントローラ６１は、（ｍ＋１）個目以後のＤＡＴＡについて、連続する２個のＣＰに同期して同じＤＡＴＡを出力することである。メモリ６２には、１行分のデータとして、ｎ個のデータが記憶されている。コントローラ６１は、（ｍ＋１）個目以後のＣＰを出力するときに、連続する２個のＣＰに対応して、メモリ６２から同一データを読み出してＤＡＴＡとして出力する。例えば、（ｍ＋１）個目のＣＰおよび（ｍ＋２）個目のＣＰに同期して、メモリ６２から（ｍ＋１）個目のデータを読み出してＤＡＴＡとして出力する。
また、（ｍ＋３）個目のＣＰおよび（ｍ＋４）個目のＣＰに同期して、メモリ６２から（ｍ＋２）個目のデータを読み出してＤＡＴＡとして出力する。
【００４０】
データ電極ドライバ３０は、ＬＰが出力されると、ラッチしているＤＡＴＡが点灯を示すデータであれば、そのＤＡＴＡに対応する出力端子に定電流を流す。
すなわち、２個のドライバ出力が１つのデータにもとづいて制御される。すると、（ｍ＋１）個目以降の各出力端子では、点灯の場合には、隣接する２個の出力端子に定電流が流される。隣接する２個の出力端子は、有機ＥＬセル１０における１本のデータ電極に接続されているので、そのデータ電極には、ｍ個目以前のデータ電極に流れる電流の約２倍の電流が流れる。
【００４１】
図５は、走査電極およびデータ電極の具体的な駆動例を示すタイミング図である。図５において、ＣＯＭ１〜ＣＯＭＮは走査電極ドライバ２０の出力端子を示す。ＳＥＧ１〜ＳＥＧｍ＋２はデータ電極ドライバ３０の出力端子を示す。図５に示す例では、第１〜第３の選択期間（ＦＬＭの直後の選択期間が第１の選択期間）において、ＳＥＧｍ＋１，ＳＥＧｍ＋２に接続されるデータ電極が通電され定電流が流される。上記のように、ＳＥＧｍ＋１，ＳＥＧｍ＋２は１つのデータ電極に接続されているので、例えばＳＥＧ１に流れる電流の２倍の電流をＳＥＧｍ＋１，ＳＥＧｍ＋２に接続されたデータ電極に流すことができる。
【００４２】
このように、輝度特性が最も低いＲを発光する有機ＥＬ素子で形成された表示領域１４のデータ電極に対して、Ｂを発光する有機ＥＬ素子で形成された表示領域１３のデータ電極に比べて、多くの電流を流すことができる。従って、全ての表示領域１３，１４のデータ電極とデータ電極ドライバ３０の出力端子とが１対１に接続される従来の場合と比較して、データ電極ドライバ３０を替えずに、Ｒを発光する有機ＥＬ素子で形成された表示領域１４のデータ電極に対する駆動能力を２倍にすることができる。
【００４３】
その結果、Ｒを発光する有機ＥＬ素子で形成された表示領域１４を最大輝度で発色させる場合に、データ電極ドライバ３０の出力電流値は従来の半分でよくなる。よって、Ｒを発光する有機ＥＬ素子よりも輝度特性が高いＢを発光する有機ＥＬ素子で形成された表示領域１３に供給される電流値は、過度に大きくならない。従って、Ｒ，Ｂの輝度を揃えるために表示領域１３の輝度を下げるといった必要がなくなるか、または、輝度の低下の程度を小さくすることができる。
【００４４】
つまり、上記のような駆動方法によれば、Ｒ，Ｂの輝度差を小さくすることができる。従って、汎用のデータ電極ドライバ３０を用いて、Ｒ，Ｂの輝度差が小さいエリアカラー表示を行う有機ＥＬ表示装置を提供することができる。また、全ての表示領域１３，１４のデータ電極とデータ電極ドライバ３０の出力端子とが１対１に接続される場合には、最も特性の低い表示領域１４の有機ＥＬ素子の輝度を上げるために駆動回路ＩＣにおける出力バッファ回路のサイズを大きくする必要が生ずることもあるが、本実施の形態では、そのような必要性を低減できる。
【００４５】
また、Ｒ，Ｂの輝度を揃えるために表示領域１３の輝度を下げる必要がないので、実現可能な階調数を増やすことができる。表示領域１３，１４の表示を階調表示させる場合には、例えば、階調度が低くなるにつれて定電流を流す期間を短くするＰＷＭを実行すればよい。
【００４６】
なお、本実施の形態では、２つの表示領域１３，１４が設けられ、表示領域１３ではデータ電極とデータ電極ドライバ３０の出力端子とが１対１で接続され、表示領域１４ではデータ電極とデータ電極ドライバ３０の出力端子とが１対２で接続された場合を例にしたが、図１に示すように、３つの表示領域１２，１３，１４が設けられ、表示領域１２ではデータ電極とデータ電極ドライバ３０の出力端子とが１対１で接続され、表示領域１３ではデータ電極とデータ電極ドライバ３０の出力端子とが１対２で接続され、表示領域１４ではデータ電極とデータ電極ドライバ３０の出力端子とが１対３で接続された場合でも本発明を適用できる。
【００４７】
その場合、コントローラ６１は、表示領域１４に対応するデータについて、同じデータを３回データ電極ドライバ３０に出力すればよい。そして、データ電極ドライバ３０は、表示領域１４における同一のデータ電極に接続される３個の出力端子に同じデータを出力する。同じデータを出力するとは、３個の出力端子の全てから定電流を出力するか、または、３個の出力端子の全てにおいて電流を出力しないことである。すなわち、データ電極ドライバ３０は、３個のデータ電極を一括して駆動する。
【００４８】
さらに、表示領域が２つまたは３つの場合に限られず、４つ以上の場合にも、本発明を適用できる。すなわち、データ電極ドライバ３０が、ｎ（ｎ：４以上の整数）個のデータ電極を一括して駆動するようにしてもよい。また、本実施の形態では、表示領域１２，１３，１４のそれぞれにおける各データ電極とデータ電極ドライバ３０の出力端子との対応は、互いに異なっている。例えば、図１に示す例では、１対１、１対２、１対３と互いに異なり、図２に示す例では、１対１、１対２と互いに異なっている。しかし、データ電極とデータ電極ドライバ３０の出力端子との対応が同じになっている複数の表示領域があってもよい。例えば、３つの表示領域があって、そのうちの２つはデータ電極とデータ電極ドライバ３０の出力端子との対応が１対１であり、他の１つはデータ電極とデータ電極ドライバ３０の出力端子との対応が１対２であってもよい。
【００４９】
次に、データ電極とデータ電極ドライバ３０の出力端子との接続の構造を説明する。図６に示す接続例では、図６（ａ）に示すように、ＴＣＰ３１において、データ電極とデータ電極ドライバ３０の出力端子（ドライバ出力）とが電気的に接続される。具体的には、データ電極ドライバ３０の出力端子は、有機ＥＬセル１０上のデータ信号接続端子（図６において図示せず）を介してデータ電極に接続される。なお、図６にも、有機ＥＬセル１０においてＢを発色する表示領域１３とＲを発色する表示領域１４とが形成されている例が示されている。図６（ｂ）に示すように、ＴＣＰ３１における配線パターン３３のうち、表示領域１４のデータ電極に至る２つの隣接する配線パターン３３が接続されている。なお、図６では、２本の配線パターンにのみ符号が付されている。
【００５０】
図６に示す接続例では、有機ＥＬセル１０が、複数の表示領域１３，１４のそれぞれのデータ電極とデータ電極ドライバ３０とを接続するための接続端子を含み、データ電極ドライバ３０はＴＣＰ３１に搭載され、ＴＣＰ３１内で、データ電極ドライバ３０の多数のドライバ出力が接続されて接続信号線を形成し、接続信号線がデータ信号接続端子に接続される。
【００５１】
図６に示すような接続構造を採用した場合には、有機ＥＬセル１０において、データ信号接続端子のピッチを、表示領域１３，１４によらず同一にすることができる。従って、有機ＥＬセル１０の製造工程を複雑にすることはない。
【００５２】
図７は、データ電極とデータ電極ドライバ３０の出力端子との接続構造の他の例を示す説明図である。図７に示す接続例では、図７（ａ）の模式図に示すように、有機ＥＬセル１０において、データ電極とデータ電極ドライバ３０のドライバ出力とが電気的に接続される。接続箇所を図中Ａで示す。なお、図７にも、有機ＥＬセル１０においてＢを発色する表示領域１３とＲを発色する表示領域１４とが形成されている例が示されている。また、本例でも、データ電極ドライバ３０はＴＣＰ３１に搭載される。図７（ｂ）の平面図と図７（ｃ）の斜視図では、データ電極ドライバ３０を搭載したＴＣＰ３１を示す。
【００５３】
図７（ｂ），（ｃ）に示すように、有機ＥＬセル１０のデータ信号接続端子１２１〜１２９のうち、表示領域１４のデータ電極と接続されるデータ信号接続端子１２７〜１２９の線幅が、表示領域１３のデータ電極と接続されるデータ信号接続端子１２１〜１２６の線幅よりも広くなっている。
【００５４】
データ信号接続端子１２７の線幅は、データ電極ドライバ３０を搭載したＴＣＰ３１の配線パターン（リード線）３２１〜３３２のうち、隣接する２つの配線パターン３２７，３２８と接続されうる太さであり、データ信号接続端子１２８の線幅は、隣接する２つの配線パターン３２９，３３０と接続されうる太さであり、データ信号接続端子１２９の線幅は、隣接する２つの配線パターン３３１，３３２と接続されうる太さである。なお、配線パターン３２１〜３３２のそれぞれの間のピッチは同じである。また、データ信号接続端子１２７〜１２９の線幅は同じである。
【００５５】
データ電極ドライバ３０の２個の隣接する出力端子からの配線パターン３２７，３２８が、有機ＥＬセル１０とＴＣＰ３１とが接合される際に、データ信号接続端子１２７に接続される。また、配線パターン３２９，３３０が、データ信号接続端子１２８に接続される。そして、配線パターン３３１，３３２が、データ信号接続端子１２９に接続される。
【００５６】
図７に示す接続例では、有機ＥＬセル１０が、複数の表示領域１３，１４のそれぞれのデータ電極とデータ電極ドライバ３０とを接続するためのデータ信号接続端子１２１〜１２９を含み、一つの表示領域１４のデータ信号接続端子１２７〜１２９が、有機ＥＬセル１０内でデータ電極ドライバ３０の多数のドライバ出力と接続される。
【００５７】
このような接続構造によっても、表示領域１４のデータ電極が、データ電極ドライバ３０における２個の出力端子に電気的に接続される構成を実現できる。
【００５８】
（例１）
以下、具体例を説明する。Ｇを発色する表示領域１２、Ｂを発色する表示領域１３およびＲを発色する表示領域１４を有する有機ＥＬセルを、駆動回路としてドライバＩＣであるＳＳＤ１３１１（Ｓｏｌｏｍｏｎ製）を用い、１／６４デューティで駆動する場合を例にする。画素のサイズ（ドットサイズ）を０．４５ｍｍ×０．４５ｍｍとし、発光面積を０．４ｍｍ×０．４ｍｍとする。表１に示すように、偏光板により５０％減光することを考慮した場合のＲ，Ｇ，Ｂそれぞれの発光効率を、５．０（ｃｄ／Ａ）、２．５（ｃｄ／Ａ）、１，２５（ｃｄ／Ａ）とする。
【００５９】
【表１】
2004247076.tif 000003
【００６０】
ドライバＩＣが備えるデータ電極駆動のためのドライバ出力の数は１２８本（１２８ピン）であり、ドライバＩＣの最大出力電流は、０．３ｍＡ／ピンである。また、Ｇを発色する表示領域１２には６４本のデータ電極が設けられ、Ｂを発色する表示領域１３には１６本のデータ電極が設けられ、Ｒを発色する表示領域１４には８本のデータ電極が設けられている場合を例にする。そして、各色の要求輝度が１００ｃｄ／ｍ２であるとする。
【００６１】
表示領域１２，１３，１４の全てにおいてデータ電極がドライバＩＣの出力と１対１で接続されている場合には、発光輝度は以下のようになる。
【００６２】
発光輝度（Ｇ）＝｛［５．０（ｃｄ／Ａ）×０．３×１０−３／（０．４×１０−３×０．４×１０−３）］／６４｝×（０．４／０．４５）２＝１１６ｃｄ／ｍ２
発光輝度（Ｂ）＝｛［２．５（ｃｄ／Ａ）×０．３×１０−３／（０．４×１０−３×０．４×１０−３）］／６４｝×（０．４／０．４５）２＝５８ｃｄ／ｍ２
発光輝度（Ｒ）＝｛［１．２５（ｃｄ／Ａ）×０．３×１０−３／（０．４×１０−３×０．４×１０−３）］／６４｝×（０．４／０．４５）２＝２９ｃｄ／ｍ２
【００６３】
表示領域１２のデータ電極がドライバＩＣの出力と１対１で接続され、表示領域１３のデータ電極がドライバＩＣの出力と１対２で接続され、表示領域１４のデータ電極がドライバＩＣの出力と１対４で接続されている場合には、発光輝度は以下のようになる。
【００６４】
発光輝度（Ｇ）＝｛［５．０（ｃｄ／Ａ）×０．３×１０−３／（０．４×１０−３×０．４×１０−３）］／６４｝×（０．４／０．４５）２＝１１６ｃｄ／ｍ２
発光輝度（Ｂ）＝｛［２．５（ｃｄ／Ａ）×２×０．３×１０−３／（０．４×１０−３×０．４×１０−３）］／６４｝×（０．４／０．４５）２＝１１６ｃｄ／ｍ２
発光輝度（Ｒ）＝｛［１．２５（ｃｄ／Ａ）×４×０．３×１０−３／（０．４×１０−３×０．４×１０−３）］／６４｝×（０．４／０．４５）２＝１１６ｃｄ／ｍ２
【００６５】
従って、表１に示すように、表示領域１２，１３，１４の全てにおいてデータ電極をドライバＩＣの出力と１対１で接続するとＧ，Ｒの発光輝度が要求輝度を満足しない場合でも、Ｂ，Ｒの表示領域１３，１４のデータ電極を、Ｇの表示領域１２のデータ電極に接続されるドライバ出力の数よりも多数のドライバ出力に接続することにより、全ての表示領域１２，１３，１４の発光輝度を、要求輝度よりも大きくでき、かつ、全ての表示領域１２，１３，１４の発光輝度を揃えることも可能になる。
【００６６】
（例２）
ドットサイズに対する発光面積が上記の例に比べて大きい場合、例えば、ドットサイズが０．３８ｍｍ×０．３８ｍｍであり、発光面積が０．３５ｍｍ×０．３５ｍｍである場合には、表示領域１４のデータ電極をドライバＩＣの出力と１対３で接続しても、全ての表示領域１２，１３，１４の発光輝度を、要求輝度よりも大きくできる。
【００６７】
なお、ドライバＩＣとして最大出力電流が０．３ｍＡ／ピンであるものを用い、ドットサイズが０．３８ｍｍ×０．３８ｍｍであり、発光面積が０．３５ｍｍ×０．３５ｍｍである場合に、Ｒ，Ｇ，Ｂの発光輝度は同じにならないが、一致させたい場合には、Ｇを発色する表示領域１２およびＢを発色する表示領域１３のデータ電極をＰＷＭで駆動することによって、全ての表示領域１２，１３，１４の発光輝度を揃えることができる。
【００６８】
【発明の効果】
本発明では、低発光部を駆動するデータ電極に接続するドライバ出力端子の数が、高発光部を駆動するデータ電極に接続するドライバ出力端子の数より多い構成にしたので、エリアカラー表示を行う有機ＥＬ表示装置において、駆動回路のコストが高くせず、また、複数の色の輝度を合わせることが容易になる。
【図面の簡単な説明】
【図１】本発明の有機ＥＬ表示装置における有機ＥＬセルと駆動回路部分とを示す模式図。
【図２】駆動回路の一構成例を示すブロック図。
【図３】有機ＥＬセルにおける表示領域の例を示す説明図。
【図４】有機ＥＬ表示装置の駆動方法を示すタイミング図。
【図５】有機ＥＬ表示装置の駆動方法をさらに詳細に示すタイミング図。
【図６】データ電極とデータ電極ドライバの出力端子との接続構造の一例を示す説明図。
【図７】データ電極とデータ電極ドライバの出力端子との接続構造の他の例を示す説明図。
【符号の説明】
１０  有機ＥＬセル
１２，１３，１４  表示領域
２０  走査電極ドライバ
３０  データ電極ドライバ
３１  ＴＣＰ
４０  走査信号用配線
５０  データ信号用配線
６１  コントローラ
６２  メモリ
６３  電源回路
【図１】
2004247076.tif 000004
【図２】
2004247076.tif 000005
【図３】
2004247076.tif 000006
【図４】
2004247076.tif 000007
【図５】
2004247076.tif 000008
【図６】
2004247076.tif 000009
【図７】
2004247076.tif 000010